(57)【要約】【課題】チューブ状の樹脂が安定した状態にあるか否かを検知できる技術を提供する。【解決手段】インフレーション成形装置は、環状の吐出口からチューブ状に樹脂を押し出すダイと、押し出されたチューブ状の樹脂に関するデータを取得する取得部と、取得されたデータに基づいて、少なくとも１つの高さ位置におけるチューブ状の樹脂の中心位置がダイの基準軸上にあるか否かを判定する判定部５２と、を備える。【選択図】図４
2020163623.tif 000002
【特許請求の範囲】
【請求項１】
環状の吐出口からチューブ状に樹脂を押し出すダイと、
押し出されたチューブ状の樹脂に関するデータを取得する取得部と、
取得されたデータに基づいて、少なくとも１つの高さ位置におけるチューブ状の樹脂の中心位置がダイの基準軸上にあるか否かを判定する判定部と、
を備えることを特徴とするインフレーション成形装置。
【請求項２】
環状の吐出口からチューブ状に樹脂を押し出すダイと、
押し出されたチューブ状の樹脂に関するデータを取得する取得部と、
取得されたデータに基づいて、チューブ状の樹脂が、ダイの基準軸に対して回転対称であるか否かを判定する判定部と、
を備えることを特徴とするインフレーション成形装置。
【請求項３】
前記取得部は、樹脂に関するデータとして、チューブ状の樹脂の外観形状を示す画像データを取得することを特徴とする請求項１または２に記載のインフレーション成形装置。
【請求項４】
前記取得部は、樹脂に関するデータとして、チューブ状の樹脂の温度分布を示すデータを取得することを特徴とする請求項１または２に記載のインフレーション成形装置。
【請求項５】
前記取得部は、樹脂に関するデータとして、チューブ状の樹脂の周りの風速データを取得することを特徴とする請求項１または２に記載のインフレーション成形装置。
【発明の詳細な説明】
【技術分野】
【０００１】
本発明は、インフレーション成形装置に関する。
【背景技術】
【０００２】
溶かした樹脂をダイからチューブ状に押し出し、その内側に空気を吹き込んで膨らませて薄いフィルム状に成形するインフレーション成形が知られている。従来では、リップ幅や冷却風の風量、風温を調節することにより、樹脂の厚みを目標範囲内に収める技術が提案されている。
【先行技術文献】
【特許文献】
【０００３】
【特許文献１】特開２０１７−１７７３４８号公報
【発明の概要】
【発明が解決しようとする課題】
【０００４】
ダイから押し出されたチューブ状の樹脂が不安定な状態になると、その品質が低下しうる。したがって、インフレーション成形では、チューブ状の樹脂が安定した状態か否かを常時監視して、不安定になった場合にはいち早く対策を講じる必要がある。
【０００５】
本発明はこうした状況に鑑みてなされたものであり、そのある態様の例示的な目的のひとつは、チューブ状の樹脂が安定した状態にあるか否かを検知できる技術を提供することにある。
【課題を解決するための手段】
【０００６】
上記課題を解決するために、本発明のある態様のインフレーション成形装置は、環状の吐出口からチューブ状に樹脂を押し出すダイと、押し出されたチューブ状の樹脂に関するデータを取得する取得部と、取得されたデータに基づいて、少なくとも１つの高さ位置におけるチューブ状の樹脂の中心位置がダイの基準軸上にあるか否かを判定する判定部と、を備える。
【０００７】
本発明の別の態様もまた、インフレーション成形装置である。この装置は、環状の吐出口からチューブ状に樹脂を押し出すダイと、押し出されたチューブ状の樹脂に関するデータを取得する取得部と、取得されたデータに基づいて、チューブ状の樹脂が、ダイの基準軸に対して回転対称であるか否かを判定する判定部と、を備える。
【０００８】
なお、以上の構成要素の任意の組み合わせや、本発明の構成要素や表現を方法、装置、システムなどの間で相互に置換したものもまた、本発明の態様として有効である。
【発明の効果】
【０００９】
本発明によれば、チューブ状の樹脂が安定した状態にあるか否かを検知できる技術を提供できる。
【図面の簡単な説明】
【００１０】
【図１】実施の形態に係るインフレーション成形装置の概略構成を示す図である。
【図２】図１のダイおよび厚み調節部の縦断面図である。
【図３】図１のダイおよび厚み調節部の上面図である。
【図４】図１の制御装置の機能および構成を示すブロック図である。
【図５】図５（ａ）〜（ｄ）は、図４の判定部による判定方法を説明する図である。
【図６】図１のインフレーション成形装置の動作を示すフローチャートである。
【図７】第２の実施の形態に係るインフレーション成形装置の判定部による判定方法を説明する図である。
【図８】第３の実施の形態に係るインフレーション成形装置の判定部による判定方法を説明する図である。
【発明を実施するための形態】
【００１１】
以下、図面を参照しながら、本発明を実施するための形態について詳細に説明する。図面の説明において同一の要素には同一の符号を付し、重複する説明を適宜省略する。
【００１２】
図１は、実施の形態に係るインフレーション成形装置１の概略構成を示す。インフレーション成形装置１は、ダイ１０と、厚み調節部２と、一対の安定板４と、ピンチロール５と、厚み取得部６と、バブルデータ取得部２６と、制御装置７と、を備える。
【００１３】
ダイ１０は、押出機（不図示）より供給された溶けた樹脂を、リング状のスリット１８（図３で後述）から押し出すことにより、バブルを成形する。「バブル」は、インフレーション成形により得られる中間体であり、チューブ状の樹脂フィルムを指す。
【００１４】
厚み調節部２は、バブルの厚みを調節するとともに、バブルを冷却する。
【００１５】
一対の安定板４は、厚み調節部２の上方に配置され、バブルを一対のピンチロール５の間に案内する。ピンチロール５は、安定板４の上方に配置され、案内されたバブルを引っ張り上げながら扁平に折りたたむ。扁平に折りたたまれた樹脂フィルムは、巻取機（不図示）によって巻き取られる。
【００１６】
厚み取得部６は、厚み調節部２と安定板４との間に配置される。厚み取得部６は、周方向の各位置におけるバブルの厚みを所定の周期で繰り返し検出する。本実施の形態では、厚み取得部６は、バブルの周りを回りながら、周方向の各位置におけるバブルの厚みを検出する。厚み取得部６により取得された厚みデータは制御装置７に送信される。
【００１７】
バブルデータ取得部２６は、バブルに関するデータを所定の周期で繰り返し取得する。本実施の形態のバブルデータ取得部２６は、例えばデジタルカメラなどの可視光カメラやサーモグラフィなどの赤外線カメラであり、バブルに関するデータとして、バブルの外観形状を示す画像を所定の周期で繰り返し取得（撮像）する。
【００１８】
具体的には、バブルデータ取得部２６は、例えばロボットアームに搭載され、バブルの周りを回るように移動可能に構成される。そしてバブルデータ取得部２６は、周方向に所定の間隔で、例えば４５°間隔で、画像を取得する。バブルデータ取得部２６は、これを所定の周期で繰り返す実行する。変形例として、インフレーション成形装置１が複数のバブルデータ取得部２６を含み、これらが周方向に所定の間隔で、例えば４５°間隔で配置されてもよい。バブルデータ取得部２６は、取得した画像データを制御装置７に送信する。
【００１９】
制御装置７は、インフレーション成形装置１を統合的に制御する装置である。
【００２０】
図２は、ダイ１０および厚み調節部２の縦断面図である。図３は、ダイ１０および厚み調節部２の上面図である。図３では、冷却装置３の表示を省略している。
【００２１】
ダイ１０は、ダイ本体１１と、内周部材１２と、外周部材１４と、を含む。内周部材１２は、ダイ本体１１の上面に載置される略円柱状の部材である。外周部材１４は、環状の部材であり、内周部材１２を環囲する。内周部材１２と外周部材１４との間には、リング状に上下方向に延びるスリット１８が形成される。このスリット１８を溶けた樹脂が上側に向かって流れ、スリット１８の吐出口（すなわち上端開口）１８ａから樹脂が押し出される。
【００２２】
ダイ本体１１の外周には、複数のヒータ１９が装着される。また、外周部材１４の外周にもヒータ１９が装着される。ダイ本体１１および外周部材１４は、ヒータ１９によって所要の温度に加熱される。これにより、ダイ１０の内部を流れる樹脂を適度な温度および状態に保つことができる。
【００２３】
厚み調節部２は、冷却装置３と、複数（ここでは３２個）の調節ユニット１６と、を含む。
【００２４】
冷却装置３は、ダイ１０の上方に配置される。冷却装置３は、エアーリング８と、環状の整流部材９と、を備える。エアーリング８は、内周部が下方に凹んだリング状の筐体である。エアーリング８の内周部には、上側に開口したリング状の吹出口８ａが形成されている。吹出口８ａは特に、中心軸Ａを中心とするリング状のスリット１８と同心となるよう形成される。
【００２５】
エアーリング８の外周部には、複数のホース口８ｂが周方向に等間隔で形成されている。複数のホース口８ｂのそれぞれにはホース（不図示）が接続され、このホースを介してブロワー（不図示）からエアーリング８内に冷却風が送り込まれる。エアーリング８内に送り込まれた冷却風は、吹出口８ａから吹き出てバブルに吹き付けられる。
【００２６】
整流部材９は、吹出口８ａを取り囲むようエアーリング８内に配置される。整流部材９は、エアーリング８内に送り込まれた冷却風を整流する。これにより、冷却風は、周方向において均一な流量、風速で、吹出口８ａから吹き出る。
【００２７】
複数の調節ユニット１６は、外周部材１４の上端側を囲むように周方向に例えば等間隔に配置される。調節ユニット１６は特に、片持ち状に外周部材１４に取り付けられる。複数の調節ユニット１６の上方には冷却装置３が固定される。複数の調節ユニット１６はそれぞれ、外周部材１４に径方向内向きの押圧荷重または径方向外向きの引張荷重を付与できるよう構成される。外周部材１４は、押圧荷重または引張荷重が付与されることによって弾性変形する。したがって、複数の調節ユニット１６を調節することによって、リップ幅を周方向で部分的に調節でき、バブルの厚みを周方向で部分的に制御できる。バブルの厚みに周方向でばらつきが生じている場合、例えば、厚みが薄い部分に対応する（例えば厚みが薄い部分の下方に位置する）調節ユニット１６から外周部材１４に引張荷重を付与させ、厚みが薄い部分の下方の吐出口１８ａの間隙を大きくする。これにより、バブルの厚みのばらつきが小さくなる。
【００２８】
調節ユニット１６は、一例としては図３に示すように、制御装置７からの制御指令に基づいて駆動するアクチュエータ２４と、回動軸３２を支点として支持され、アクチュエータ２４の回転力を受けるレバー３４と、外周部材１４により軸線方向に変位可能に支持され、レバー３４の作用点に支持された作動ロッド３６と、含む。そして、レバー３４の回転力が作動ロッド３６の軸線方向の力に変換され、その軸線方向の力が内周部材１２または外周部材１４に対する荷重となり、レバー３４がレバー３４の作用点において作動ロッド３６に直接力を付与する。
【００２９】
図４は、制御装置７の機能および構成を模式的に示すブロック図である。ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００３０】
制御装置７は、種々の通信プロトコルにしたがって厚み取得部６およびバブルデータ取得部２６との通信処理を実行する通信部４０と、ユーザによる操作入力を受け付け、また各種画面を表示部に表示させるＵ／Ｉ部４２と、通信部４０およびＵ／Ｉ部４２から取得されたデータをもとにして各種のデータ処理を実行するデータ処理部４６と、データ処理部４６により参照、更新されるデータを記憶する記憶部４８と、を含む。
【００３１】
記憶部４８は、バブルデータ記憶部６４を含む。バブルデータ記憶部６４は、バブルデータ取得部２６から送信されたバブルに関するデータを、本実施の形態ではバブルの外観形状を示す画像データを記憶する。
【００３２】
データ処理部４６は、受信部５０と、判定部５２と、提示部５４と、調節部５６と、を含む。
【００３３】
受信部５０は、厚み取得部６が所定の周期で送信する厚みデータを受信する。また受信部５０は、バブルデータ取得部２６が所定の周期で送信するバブルに関するデータを受信し、受信するたびに受信したデータをバブルデータ記憶部６４に記憶させる。
【００３４】
判定部５２は、バブルの外観形状を示す画像がバブルデータ記憶部６４に新たに記憶されるたびに、新たに記憶されたバブルの外観形状を示す画像に基づいて、バブルが安定な状態にあるか否かを所定の周期で繰り返し判定する。
【００３５】
図５（ａ）〜（ｄ）は、判定部５２による判定方法を説明する図である。図５（ａ）〜（ｄ）は、周方向の或る位置から撮像されたバブルの外観形状を示す画像である。図５（ａ）は、バブルが安定な状態にある。図５（ｂ）〜（ｄ）はバブルが不安定な状態にあり、図５（ｂ）ではバブルが揺れたり傾いたりしており、図５（ｃ）ではバブルがねじれており、図５（ｄ）ではバブルが部分的に凹んでいる。
【００３６】
まず判定部５２は、周方向に所定の間隔で取得された複数の画像のそれぞれについて、公知の画像処理技術を用いてバブルの輪郭を検出し、検出された輪郭から、各高さ位置における、二次元画像上でのバブルの中心位置Ｃを特定する。
【００３７】
そして判定部５２は、周方向に所定の間隔で取得された複数の画像のすべてにおいて、各高さ位置での中心位置Ｃが実質的にダイ１０の基準軸（例えば中心軸Ａ）上にある場合、バブルはその中心軸がダイ１０の基準軸と一致した状態にある、言い換えるとバブルは基準軸に対して回転対称な形状になっている、さらに言い換えるとバブルは安定な状態にある、と判定する。なお、中心位置Ｃが実質的に基準軸上にあるとは、中心位置Ｃが基準軸上にあることや、基準軸から中心位置Ｃまでの水平方向の距離が所定の距離未満であることをいう。
【００３８】
また判定部５２は、周方向に所定の間隔で取得された複数の画像のうちの少なくとも１つの画像において、少なくとも１つの高さ位置での中心位置Ｃが実質的にダイ１０の基準軸上にない場合、バブル全体が揺れたり傾いたりしていてあるいはバブルが部分的に膨らみもしくは凹んでいて、バブルはその中心軸がダイ１０の基準軸と一致しない状態にある、言い換えるとバブルは基準軸に対して非回転対称な形状になっている、さらに言い換えるとバブルは不安定な状態にある、と判定する。
【００３９】
提示部５４は、厚み取得部６から送信された厚みデータをユーザに提示する。提示部５４は、例えば所定のディスプレイに厚みデータを表示することにより、厚みデータをユーザに提示する。また提示部５４は、判定部５２による判定結果をユーザに提示する。提示部５４は、例えば、バブルが不安定な状態と判定された場合、所定のディスプレイに表示することにより、その旨をユーザに提示する。また例えば、提示部５４は、図５に示すような画面、すなわちバブルの外観形状を撮像した画像に各高さ位置での中心位置Ｃを描き込んだ画面をディスプレイに表示する。この際、提示部５４は、周方向の各位置で撮像したバブルの外観形状の画像をディスプレイに表示してもよい。ユーザは、ディスプレイに表示されるこれらのデータを考慮して、各種調節要素の調節量を決定すればよい。
【００４０】
ユーザは、樹脂の内側に吹き付ける空気の風量、リップ幅、冷却風の風量などの、バブルの厚みや形状に影響しうる各種調節要素の調節量を決定する。調節部５６は、ユーザの決定にしたがって、各種調節要素を調節する。例えば調節部５６は、ユーザにより決定された荷重を外周部材１４に付与するように調節ユニット１６に制御指令を送信する。各調節ユニット１６は、この制御指令にしたがって動作する。これによりリップ幅が調節される。
【００４１】
以上のように構成されたインフレーション成形装置１の動作を説明する。ここでは、バブルが不安定な状態にあるか否かを判定する動作について説明する。図６は、その動作を示すフローチャートである。図６のフローは、成形が開始されると実行される。
【００４２】
制御装置７は、バブルデータ取得部２６により取得されたバブルの外観形状を示す画像を受信する（Ｓ１０）。制御装置７は、取得した各画像について、各高さ位置におけるバブルの中心位置Ｃを特定する（Ｓ１２）。制御装置７は、各画像の各高さ位置における中心位置Ｃがダイ１０の基準軸上にあるか否かを確認することにより、バブルが不安定な状態にあるか否かを判定する（Ｓ１４）。制御装置７は、判定結果をユーザに提示する（Ｓ１６）。ユーザは、この判定結果とともに、バブルの厚みを参考にして、各種調節要素の調節量を決定する。制御装置７は、成形が終了した場合（Ｓ１８のＹ）、フローを終了し、成形が終了していない場合（Ｓ１８のＮ）、処理をＳ１０に戻す。
【００４３】
以上説明した本実施の形態によれば、バブルが安定な状態にあるか否か、具体的にはバブルの中心軸がダイ１０の基準軸と一致しているか否か、言い換えるとバブルがダイ１０の基準軸に対して回転対称であるか否か、を判定できる。これにより、ユーザは、バブルが不安定になるといち早くこれを察知でき、いち早く対策を講じることが可能となる。
【００４４】
また、本実施の形態によれば、図５に示すような画面、すなわちバブルの外観形状を撮像した画像に各高さ位置での中心位置Ｃを描き込んだ画面をディスプレイに表示される。これにより、ユーザは、バブルが安定な状態にあるか否かをひと目で把握することができる。
【００４５】
以上、本発明の一側面について、第１の実施の形態をもとに説明した。続いて第１の実施の形態に関連する変形例を説明する。
【００４６】
・第１の実施の形態についての第１の変形例
第１の実施の形態では、判定部５２は、各高さ位置、すなわち複数の高さ位置における中心位置Ｃを特定し、バブルが不安定な状態にあるか否かを判定する場合について説明したが、中心位置Ｃを特定する高さ位置の数、すなわちバブルが不安定な状態にあるか否かを判定するために監視する高さ位置の数は特に限定されない。バブルは下流（上方）に向かって流れるため、実験等で決定した適切な高さ位置で適切な周期で監視すれば、１つの高さ位置を監視するだけで、バブルが不安定な状態にあるか否かを判定できる。つまり、判定部５２は、少なくとも１つの高さ位置における中心位置を特定し、バブルが不安定な状態にあるか否かを判定すればよい。
【００４７】
・第１の実施の形態についての第２の変形例
バブルの外観形状を示す画像に基づいてバブルが不安定か否かを判定する方法は、第１の実施の形態のそれには限定されない。
【００４８】
例えば判定部５２は、周方向に所定の間隔で取得された複数の画像のそれぞれについて、検出されたバブルの輪郭が、ダイ１０の基準軸に対して対称か否かを判定してもよい。
【００４９】
そして判定部５２は、周方向に所定の間隔で取得された複数の画像のすべてにおいてバブルの輪郭が基準軸に対して対称である場合、バブルはその中心軸がダイ１０の基準軸と一致した状態にある、言い換えるとバブルは基準軸に対して回転対称な形状になっている、さらに言い換えるとバブルは安定な状態にある、と判定する。
【００５０】
また判定部５２は、周方向に所定の間隔で取得された複数の画像のうちの少なくとも１つの画像においてバブルの輪郭が基準軸に対して非対称である場合、バブル全体が揺れたり傾いたりしていてあるいはバブルが部分的に膨らみもしくは凹んでいて、バブルはその中心軸がダイ１０の基準軸と一致しない状態にある、言い換えるとバブルは基準軸に対して非回転対称な形状になっている、さらに言い換えるとバブルは不安定な状態にある、と判定する。
【００５１】
（第２の実施の形態）
第１の実施の形態では、バブルの外観形状を示す画像に基づいて、バブルが不安定な状態にあるか否かを判定する場合について説明した。第２の実施の形態では、バブルの表面温度の分布に基づいて、バブルが不安定な状態にあるか否かを判定する。以下、第１の実施の形態との相違点を中心に説明する。
【００５２】
本実施の形態のバブルデータ取得部２６は、例えば温度センサであり、バブルに関するデータとして、バブルの表面温度を取得（計測）する。バブルデータ取得部２６は、例えばロボットアームに搭載され、バブルの周りを移動しながら、周方向の各位置で、例えば１°間隔で、バブルの表面温度を取得する。ある高さ位置での表面温度の取得が終了すると、バブルデータ取得部２６を上方または下方に移動させ、その高さ位置で、バブルの周りを移動しながら周方向の各位置でバブルの表面温度を取得する。こうして、所定の高さ範囲の各高さ位置における、周方向の各位置のバブルの表面温度を取得する。なお、各高さ位置ごとにバブルデータ取得部２６が用意されてもよい。変形例として、バブルデータ取得部２６は赤外線カメラであってもよい。バブルデータ取得部２６は、取得した表面温度データを制御装置７に送信する。
【００５３】
バブルデータ記憶部６４は、バブルデータ取得部２６から送信された、所定の高さ範囲の各高さ位置における、周方向の各位置のバブルの表面温度データを記憶する。
【００５４】
判定部５２は、バブルデータ記憶部６４に記憶されたバブルの表面温度データに基づいて、バブルが安定な状態にあるか否かを判定する。
【００５５】
図７は、判定部５２による判定方法を説明する図である。図７において、横軸は周方向の任意の位置を基準とする角度であり、縦軸は表面温度である。図７は、ある高さ位置における周方向の表面温度の分布を表示する。判定部５２は、表面温度が計測されたすべての高さ位置において、表面温度が周方向で実質的に一定である場合、例えば周方向における表面温度のレンジ（最大温度Ｔｍａｘと最小温度Ｔｍｉｎとの差）が所定の温度以下の場合、各高さ位置におけるバブルの断面形状は実質的に円形であり、その円の中心位置はダイ１０の基準軸上にあり、バブルはその中心軸がダイ１０の基準軸と一致した状態にある、言い換えるとバブルは基準軸に対して回転対称な形状になっている、さらに言い換えるとバブルは安定な状態にある、と判定する。
【００５６】
また判定部５２は、少なくとも１つの高さ位置において、表面温度が周方向で実質的に一定でない場合、例えば周方向における表面温度のレンジが所定の温度を超えている場合、バブルは不安定な状態にある、と判定する。
【００５７】
本実施の形態によれば、第１の実施の形態と同様の作用効果を奏することができる。
【００５８】
以上、本発明の一側面について、第２の実施の形態をもとに説明した。続いて第２の実施の形態に関連する変形例を説明する。
【００５９】
第２の実施の形態では、判定部５２は、各高さ位置、すなわち複数の高さ位置における表面温度の周方向分布を特定し、バブルが不安定な状態にあるか否かを判定する場合について説明したが、表面温度の周方向分布を特定する高さ位置の数、すなわちバブルが不安定な状態にあるか否かを判定するために監視する高さ位置の数は特に限定されない。バブルは下流（上方）に向かって流れるため、実験等で決定した適切な高さ位置で適切な周期で監視すれば、１つの高さ位置を監視するだけで、バブルが不安定な状態にあるか否かを判定できる。つまり、判定部５２は、少なくとも１つの高さ位置における表面温度の周方向分布を特定し、バブルが不安定な状態にあるか否かを判定すればよい。
【００６０】
（第３の実施の形態）
第３の実施の形態では、バブルの周囲の風速の分布に基づいて、バブルが安定な状態にあるか否かを判定する。以下、第１の実施の形態との相違点を中心に説明する。
【００６１】
本実施の形態のバブルデータ取得部２６は、例えば風速センサであり、バブルに関するデータとして、バブルの周りの風速データを取得（計測）する。バブルデータ取得部２６は、例えばロボットアームに搭載され、例えばダイ１０の基準軸を中心とする、バブルを環囲する所定の円周上を移動しながら、また例えばバブルから一定の距離を保つようにバブルの周りを移動しながら、周方向の各位置で、例えば１°間隔で、風速を取得する。バブルデータ取得部２６は、取得した風速データを制御装置７に送信する。
【００６２】
バブルデータ記憶部６４は、バブルデータ取得部２６から送信された、バブルの周囲の風速データを記憶する。
【００６３】
判定部５２は、バブルデータ記憶部６４に記憶されたバブルの周囲の風速データに基づいて、バブルが安定な状態にあるか否かを判定する。
【００６４】
図８は、判定部５２による判定方法を説明する図である。図８において、横軸は周方向の任意の位置を基準とする角度であり、縦軸は風速である。判定部５２は、風速が周方向で実質的に一定の場合、例えば周方向における風速のレンジ（最大風速Ｖｍａｘと最小風速Ｖｍａｘの差）が所定の風速以下の場合、バブルデータ取得部２６が設置された高さ以下すなわち風速が取得される高さ以下において、バブルの断面形状は実質的に円形であり、その円の中心位置はダイ１０の基準軸上にあり、バブルはその中心軸がダイ１０の基準軸と一致した状態にある、言い換えるとバブルは基準軸に対して回転対称な形状になっている、さらに言い換えるとバブルは安定な状態にあると判定する。また、判定部５２は、風速が周方向で一定でない場合、例えば周方向における風速のレンジが所定値を超える場合、当該高さ以下において、バブルは不安定な状態にある、と判定する。
【００６５】
本実施の形態によれば、第１の実施の形態と同様の作用効果を奏することができる。
【００６６】
以上、本発明の一側面について、第３の実施の形態をもとに説明した。
【００６７】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。
【符号の説明】
【００６８】
１  インフレーション成形装置、  ７  制御装置、  １０  ダイ、  ２６  バブルデータ取得部、  ５２  判定部。
【図１】
2020163623.tif 000003
【図２】
2020163623.tif 000004
【図３】
2020163623.tif 000005
【図４】
2020163623.tif 000006
【図５】
2020163623.tif 000007
【図６】
2020163623.tif 000008
【図７】
2020163623.tif 000009
【図８】
2020163623.tif 000010